(57)【要約】【課題】解決しようとする課題は、ブラケットをデミスターダクト本体に完全固定するために該ブラケットを針打ち部にセットしておいてタッカーを右手で押圧し、タッカー針を打ち込んで後、右手で色鉛筆を取り上げ該デミスターダクトにタッカー作業完了の印をマーキングするが、上記作業の繰り返しは右腕の非常な疲労を誘発し、長時間の連続作業を困難にさせているという点である。【解決手段】タッカーに筆記具取付け機構を具備し該取付け機構に筆記具を取り付けて、従来の作業のように右手でいちいち色鉛筆を取り上げるという作業を必要としないようにすることにより前記課題を解決した。【選択図】図４
2007326219.tif 000002
【特許請求の範囲】
【請求項１】
筆記具取付け機構を具備することを特徴とするタッカー
【発明の詳細な説明】
【技術分野】
【０００１】
本発明は、熱可塑性樹脂のブロー成形によって形成されるヒンジ付き成形品のタッカー打ち及びチェックに関する。
【背景技術】
【０００２】
タッカー打ち及びチェックに関する従来技術としては特許文献１に開示されているようなものがある。
【特許文献１】特許第３８６７４４４号公報
【０００３】
しかし、特許文献１に開示されているような方法はブロー成形のような量産向きではないため、量産作業能率を向上できないという欠点があった。
【０００４】
以下、図によってより詳しく説明する。図１は熱可塑性樹脂のブロー成形によって形成される自動車用デミスターダクト１の成形直後の斜視図を表し、ヒンジ３を介して取付け用ブラケット２が該デミスターダクト１及び該ヒンジ３と一体に形成されている。
【０００５】
成形後、作業者によって該ブラケット２は該ヒンジ３を軸として矢印Ａの方向に回転させられ、図２に示す状態に仮固定される。尚、図２は該デミスターダクト１のタッカー打ち直前の斜視図を表す。
【０００６】
次いで、該ブラケット２を該デミスターダクト１本体に完全固定すべく、タッカー（図示せず）によってタッカー針５が図２に示す位置に打ち込まれる。
【０００７】
上記タッカー打ちの作業は図３に示すような作業台１０上にておこなわれる。図３は該作業台１０を表す斜視図であり、１１は該作業台１０に固定されたタッカー、１２は色鉛筆を示す。
【０００８】
作業者は該作業台１０の手前に立って、該ブラケット２が図２に示す状態に仮固定された該デミスターダクト１（図示せず）を左手に持ち、該ブラケット２を針打ち部２１にセットしておいてタッカー１１を右手で押圧し、図２に示す位置に該タッカー針５を打ち込んで該ブラケット２を該デミスターダクト１本体に完全固定する。
【０００９】
次に作業者は右手で該色鉛筆１２を取り上げ、左手に持った該デミスターダクト１にタッカー作業完了の印をマーキングする。
【００１０】
そして、以上に述べた作業を該デミスターダクト１の生産数量分、延々と繰り返すのであるが、右手でいちいち該色鉛筆１２を取り上げ該デミスターダクト１にタッカー作業完了の印をマーキングするという作業は右腕の非常な疲労を誘発し、長時間の連続作業を困難にさせていた。
【発明の開示】
【発明が解決しようとする課題】
【００１１】
解決しようとする課題は、右手でいちいち色鉛筆を取り上げデミスターダクトにタッカー作業完了の印をマーキングするという作業の繰り返しは右腕の非常な疲労を誘発し、長時間の連続作業を困難にさせているという点である。本発明は上記の点を解決するためになされた。
【課題を解決するための手段】
【００１２】
上記目的を達成するため本発明は、タッカーに筆記具取付け機構を具備することを最も主要な特徴とする。
【発明の効果】
【００１３】
本発明によれば、タッカーに筆記具取付け機構を具備し該取付け機構に筆記具を取り付けたことで、従来の作業のように右手でいちいち色鉛筆を取り上げるという作業の繰り返しを必要としないため作業者の疲労は大幅に軽減され、しかもタッカー打ち作業後迅速にタッカー作業完了の印をマーキングすることができるので作業能率も大幅に向上させることができるという利点がある。
【発明を実施するための最良の形態】
【００１４】
作業者の疲労を大幅に軽減し、タッカー打ち作業後迅速にタッカー作業完了の印をマーキングし得るという目的を、タッカーに筆記具取付け機構を具備し該取付け機構に筆記具を取り付けることで、経済性を損なわずに実現した。
【実施例１】
【００１５】
本発明の構成を発明の実施の形態に基づいて説明すると次の通りである。尚、従来例と同一の符号は同一の部材を表す。
【００１６】
図４は、本発明の１実施例を示すタッカー付き作業台の斜視図である。色鉛筆１２はタッカー１１に設けられた取付け孔２２に差し込まれ、押しネジ（図示せず）によって固定されている。
【００１７】
作業者は該作業台１０の手前に立って、該ブラケット２が仮固定された該デミスターダクト１（図示せず）を左手に持ち、該ブラケット２を該針打ち部２１にセットしておいて該タッカー１１を右手で押圧し、図２に示す位置に該タッカー針５を打ち込んで該ブラケット２を該デミスターダクト１本体に完全固定するまでは従来例と同様である。
【００１８】
次に作業者は、左手に持った該デミスターダクト１を該タッカー１１に取り付けられた該色鉛筆１２にこすりつけてタッカー作業完了の印をマーキングする。
【００１９】
この場合、従来の作業のように右手でいちいち該色鉛筆１２を取り上げるという作業の繰り返しを必要としないため作業者の疲労は大幅に軽減され、しかもタッカー打ち作業後迅速にタッカー作業完了の印をマーキングすることができるので作業能率も大幅に向上させることができる。
【００２０】
尚、上記実施例では該色鉛筆１２を該タッカー１１に設けられた該取付け孔２２に差し込み、押しネジ（図示せず）にて固定する筆記具取付け機構を用いたが本発明はこれに限るものではなく、スプリング等により該色鉛筆１２を該タッカー１１に押し付け固定するような筆記具取付け機構をもってしてもよい。
【００２１】
また、熱可塑性樹脂のブロー成形によって形成される物として自動車用デミスターダクトを例に挙げて説明したが、本発明はこれに限るものではなく、熱可塑性樹脂のブロー成形によって形成されるヒンジ付き成形品であれば何でも良い。
【００２２】
また、色鉛筆を例として説明したがフェルトペンやマーカー等、他の筆記具でも良いことはもちろんである。
【００２３】
尚、上記タッカーという用語の意味するものにはステープラーも包含するものとする。
【００２４】
以上実施例に述べたように本発明によれば、タッカーに筆記具取付け機構を具備し該取付け機構に筆記具を取り付けたことで、従来の作業のように右手でいちいち色鉛筆を取り上げるという作業を必要としないため作業者の疲労は大幅に軽減され、しかもタッカー打ち作業後迅速にタッカー作業完了の印をマーキングすることができるので作業能率も大幅に向上させることができるという効果がある。
【産業上の利用可能性】
【００２５】
本発明は、熱可塑性樹脂のブロー成形によって形成されるヒンジ付き成形品のタッカー打ち及びチェックに利用可能である。
【図面の簡単な説明】
【００２６】
【図１】従来のデミスターダクトの成形直後の斜視図
【図２】従来のデミスターダクトのタッカー打ち直前の斜視図
【図３】従来のタッカーを据え付けた作業台の斜視図
【図４】本発明に係るタッカーを据え付けた作業台の斜視図
【符号の説明】
【００２７】
１    デミスターダクト
２    ブラケット
３    ヒンジ
５    タッカー針
１０    作業台
１１    タッカー
１２    色鉛筆
２１    針打ち部
２２    取付け孔
【図１】
2007326219.tif 000003
【図２】
2007326219.tif 000004
【図３】
2007326219.tif 000005
【図４】
2007326219.tif 000006